(57)【要約】【課題】焦電素子モジュールにおいて、正面方向から人が進入してくる場合でも、高感度での人検知を可能とする。【解決手段】無線発信器（焦電素子モジュール）８は、焦電素子２０を用いて検知範囲内の人体から放射される赤外線の変化を検知する焦電センサ１３ａ，１３ｂと、焦電センサ１３ａ，１３ｂによる検知結果に基づいて負荷を動作制御するための制御情報を送信する無線送受信部と、を備える。焦電センサ１３ａ，１３ｂに備わる焦電素子２０は、無線発信器８としての検出方向を正面としたとき、当該焦電素子２０の検出方向が当該正面の軸線Ｘに対して斜めになり、かつ互いに異なる方向に配置されている。この構成により、無線発信器８は、正面方向から人が進入してくる場合でも、高感度での人検知を可能とする。【選択図】図６
2013231667.tif 000002
【特許請求の範囲】
【請求項１】
焦電素子を用いて検知範囲内の人体から放射される赤外線の変化を検知する焦電センサと、前記焦電センサによる検知結果に基づいて負荷を動作制御するための制御情報を送信する通信部と、を備える焦電素子モジュールであって、
前記焦電センサを複数備え、
前記焦電センサの各々に備わる焦電素子は、焦電素子モジュールとしての検出方向を正面としたとき、当該焦電素子の検出方向が当該正面の軸線に対して斜めになり、かつ互いに異なる方向に配置されている、ことを特徴とする焦電素子モジュール。
【請求項２】
複数の前記焦電素子の検出方向は、前記軸線に対して軸対称となる、ことを特徴とする請求項１記載の焦電素子モジュール。
【請求項３】
水平方向の検知範囲が１８０度以上となる、ことを特徴とする請求項１又は２に記載の焦電素子モジュール。
【請求項４】
焦電素子を用いて検知範囲内の人体から放射される赤外線を検知する焦電センサによる検知結果に基づいて照明負荷の動作を制御する無線発信器と、前記無線発信器と無線通信される無線受信器と、制御対象となる照明負荷を制御する制御端末器と、信号線を介して前記無線受信器及び前記制御端末器と接続されて制御データを送受信する伝送ユニットと、を備える照明制御システムにおいて、
前記無線発信器は、前記焦電センサを複数備え、
前記焦電センサの各々に備わる焦電素子は、前記無線発信器としての検出方向を正面としたとき、当該焦電素子の検出方向が当該正面の軸線に対して斜めになり、かつ互いに異なる方向に配置されている、ことを特徴とする照明制御システム。
【請求項５】
前記照明負荷を複数備え、
複数の前記焦電素子の検出方向は、前記軸線に対して軸対称となり、
前記照明負荷と前記焦電センサの各々とは対応関係を有し、
前記照明負荷は、前記焦電センサによる検知に応じて動作が制御される、ことを特徴とする請求項４記載の照明制御システム。
【発明の詳細な説明】
【技術分野】
【０００１】
本発明は、人体などから放射される赤外線を検出する焦電センサを備える焦電素子モジュール、及びこの焦電素子モジュールを用いる照明制御システムに関する。
【背景技術】
【０００２】
従来より、住宅やビルディング内において、照度センサや焦電センサといったセンサ類と連携して複数の照明器具のＯＮ／ＯＦＦや調光状態を個別に、又は一括して制御する照明制御システムが導入されている。この照明制御システムでは、外光の明るさや人の存在に応じて照明器具のＯＮ／ＯＦＦを適切に制御できるため省エネルギー化を図ることができる。
【０００３】
焦電センサは、人体等から放射される赤外線を焦電素子で検出する。焦電センサは、赤外線を強誘電体の表面に放射することで、自発分極に変化を起こし、起電力が発生する焦電効果を利用している。この焦電センサを備える赤外線検出器などの焦電素子モジュールは、例えば、照明器具やエアコンなどの自動スイッチ、防犯カメラの進入検知など多様な用途で使われている。
【０００４】
焦電センサに備わる焦電素子は、クワッドタイプという４つの受熱素子（すなわち２組の受熱素子）を備えたものが広く使用されている。２組の受熱素子は、逆向きの極性をもって接続されており、人体の運動などにより受熱素子が受ける赤外光の量に偏り（分極）が発生すると出力が得られる。焦電素子モジュールは、この出力により人の動き検知する。
【０００５】
ところで、周囲環境の温度変化により発生する電荷が出力されることを抑制して、高精度な人検知を実現する焦電型赤外線検知素子及びそれを用いた焦電センサが開示されている（例えば、特許文献１参照）。
【先行技術文献】
【特許文献】
【０００６】
【特許文献１】特開２０１２−２７０１０号公報
【発明の概要】
【発明が解決しようとする課題】
【０００７】
しかしながら、焦電センサに備わる焦電素子は、図９（ａ）に示すように、温度差のある検知対象１０１が横切ると、受熱素子１０２が受ける赤外光の量に偏りが発生し、高感度となる特性がある。一方、図９（ｂ）の矢印１０３に示すように、検知対象が、焦電センサ１０４の検知範囲１０５の正面方向から接近する場合、焦電素子の二組の受熱素子の対に同時に赤外線が当たり、電圧が打ち消し合い出力が得られにくく低感度となるという問題がある。また、検出距離が短くなるという問題もある。
【０００８】
本発明は、上記課題に鑑みてなされたものであり、正面方向から人が進入してくる場合でも、高感度での人検知を可能とする焦電素子モジュールを提供することを目的とする。また、この焦電素子モジュールを用いて照明負荷を動作制御する照明制御システムを提供することをも目的とする。
【課題を解決するための手段】
【０００９】
上記目的を達成するために本発明は、焦電素子を用いて検知範囲内の人体から放射される赤外線の変化を検知する焦電センサと、前記焦電センサによる検知結果に基づいて負荷を動作制御するための制御情報を送信する通信部と、を備える焦電素子モジュールであって、前記焦電センサを複数備え、前記焦電センサの各々に備わる焦電素子は、焦電素子モジュールとしての検出方向を正面としたとき、当該焦電素子の検出方向が当該正面の軸線に対して斜めになり、かつ互いに異なる方向に配置されていることを特徴とする。
【００１０】
この焦電素子モジュールにおいて、複数の前記焦電素子の検出方向は、前記軸線に対して軸対称となることが好ましい。
【００１１】
この焦電素子モジュールにおいて、水平方向の検知範囲が１８０度以上となることが好ましい。
【００１２】
また、本発明は、焦電素子を用いて検知範囲内の人体から放射される赤外線を検知する焦電センサによる検知結果に基づいて照明負荷の動作を制御する無線発信器と、前記無線発信器と無線通信される無線受信器と、制御対象となる照明負荷を制御する制御端末器と、信号線を介して前記無線受信器及び前記制御端末器と接続されて制御データを送受信する伝送ユニットと、を備える照明制御システムにおいて、前記無線発信器は、前記焦電センサを複数備え、前記焦電センサの各々に備わる焦電素子は、前記無線発信器としての検出方向を正面としたとき、当該焦電素子の検出方向が当該正面の軸線に対して斜めになり、かつ互いに異なる方向に配置されていることを特徴とする。
【００１３】
この照明制御システムにおいて、前記照明負荷を複数備え、複数の前記焦電素子の検出方向は、前記軸線に対して軸対称となり、前記照明負荷と前記焦電センサの各々とは対応関係を有し、前記照明負荷は、前記焦電センサによる検知に応じて動作が制御されることが好ましい。
【発明の効果】
【００１４】
本発明に係る焦電素子モジュールによれば、複数の焦電センサに備わる複数の焦電素子は、焦電素子モジュールとしての検出方向の正面の軸線に対して斜めになり、かつ互いに異なる方向に配置される。この構成により、焦電素子モジュールは、正面方向から人が進入してくる場合でも、高感度での人検知を可能とする。
【図面の簡単な説明】
【００１５】
【図１】本発明の実施の形態１に係る照明制御システムのシステム構成図である。
【図２】（ａ）乃至（ｃ）同上照明制御システムに備わる無線発信器（焦電素子モジュール）の斜視図、（ｄ）同上無線発信器に備わる可動部の平面図である。
【図３】（ａ）同上無線発信器の背面側の平面図、（ｂ）及び（ｃ）同上無線発信器に備わる取付部材の平面図である。
【図４】同上無線発信器の機能ブロック図である。
【図５】（ａ）同上無線発信器に備わる焦電センサの機能ブロック図、（ｂ）同上焦電センサに備わる焦電素子の平面図である。
【図６】同上無線発信器の水平方向検知範囲の説明図である。
【図７】同上無線発信器の検知エリアの立体図である。
【図８】実施の形態２に係る照明制御システムに備わる無線発信器の水平方向検知範囲の説明図である。
【図９】（ａ）及び（ｂ）従来の焦電センサにおける人検出の説明図である。
【発明を実施するための形態】
【００１６】
本発明の実施の形態に係る焦電素子モジュール及びこの焦電素子モジュールを用いる照明制御システムについて図面を参照して説明する。
【００１７】
（実施の形態１）
図１は、本実施の形態１に係る照明制御システム１の構成を示す。この照明制御システム１は、伝送ユニット２と、リレー制御用端末器３と、リモコンリレー４と、リモコントランス５と、リモコンスイッチ６と、無線受信器７と、無線発信器（焦電素子モジュール）８と、照明器具９とを備えている。
【００１８】
リレー制御用端末器３、リモコンスイッチ６、及び無線受信器７は、２線式の信号線を介して伝送ユニット２と相互に接続されており、伝送ユニット２との情報のやり取りは、信号線に多重伝送方式で伝送される伝送信号を通して行われる。この照明制御システム１では、無線受信器７と無線発信器８との間で無線通信を行い、照明器具９のオン／オフ状態や室内の照度を自動制御する。
【００１９】
伝送ユニット２は、リモコンスイッチ６や無線受信器７からの伝送信号に基づいて、伝送信号に含まれるアドレス情報から制御対象となる照明器具９を特定すると共に、照明器具９に対する制御状態を特定する。そして、伝送ユニット２は、制御対象となる照明器具９と対応するリレー制御用端末器３に対して、照明器具９のアドレス情報と、その制御状態（ＯＮ、ＯＦＦや調光レベルなど）とを制御指令信号として送信する。
【００２０】
照明制御システム１内に存在する照明器具９は、負荷アドレスによって一意に特定することができる。具体的には、リレー制御用端末器３には、負荷チャネル（Ｃｈ）と呼ばれる固有の識別子が割り当てられており、リレー制御用端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２１】
リレー制御用端末器３は、リレーの制御状態に応じて照明器具９の状態を制御する負荷制御端末器としての機能を担っている。リレー制御用端末器３は、伝送ユニット２からの伝送信号に基づいて、自己に接続するリモコンリレー４のうち、制御対象となる照明器具９に対応するリモコンリレー４に対して制御信号を送ることにより、リモコンリレー４の状態を制御する。リモコンリレー４の個々のリレーは、リレー制御用端末器３に制御されて、ブレーカ電源（ＡＣ１００又は２００Ｖ）１０などからの商用交流をオン／オフすることで、照明器具９をオン状態またはオフ状態にする。
【００２２】
リモコントランス５は、リレー制御用端末器３、及びリモコンリレー４に駆動用の電力を供給する。
【００２３】
リモコンスイッチ６は、照明器具９を制御するための制御指令を出力するための入力端末器としての機能を担っている。具体的には、リモコンスイッチ６は、例えば室内などの任意の壁面に設置されており、照明器具９を利用するユーザによってプッシュ操作が可能な端末器である。リモコンスイッチ６は、操作スイッチのいずれかが操作されるのに応じて、その操作スイッチに関連付けられているアドレス情報と、操作スイッチの操作状態とを制御指令として伝送ユニット２に送信する。
【００２４】
無線受信器７は、天井面に埋め込まれ、無線発信器８とワイヤレスで制御情報の送受信を行うと共に、２線式の信号線と接続して伝送ユニット２と制御データの送受信を行う。この無線受信器７には、例えば電波式ワイヤレスアドレス設定器を用いて、アドレスやエリアナンバーが設定される。
【００２５】
無線発信器８は、焦電素子モジュールであり、レイアウトフリーに壁面に設置され、検知範囲周辺の照度を検知する照度センサ、及び焦電素子を用いて検知範囲内の人体から放射される赤外線を検知する焦電センサを備える。また、無線発信器８の背面側には、ユーザ操作されるアドレス設定選択つまみ、動作保持時間設定用つまみなどが設けられている。
【００２６】
焦電センサは、人体から放射される熱線を検出して検知範囲内の人の存否に応じて出力する人体検出信号を監視する。無線発信器８は、検知範囲内の人の動きが検出されたときに照明器具９を自動でのＯＮ／ＯＦＦ制御や自動調光させるためのアドレス情報や制御情報を無線受信器７に送信可能とする。
【００２７】
照度センサは、検知範囲の明るさを検知（照度検知範囲５〜１０００ルクス等）する。無線発信器８は、照度センサにより検知された照度に基づいて照明器具９を制御するための制御情報を無線受信器７に送信可能とする。この照度センサを用いた照明制御により、日没後は点灯するなど外光にあわせて平均照度を一定に保って調光でき、照明環境の快適性を保ちながら省エネを図ることができる。また、無線発信器８が焦電センサに加えて照度センサをも備えることで、暗くなりかつ人がいる時だけの点灯制御などが可能となる。
【００２８】
次に、無線発信器８の外観に関して図２及び図３を参照して説明する。無線発信器８は、ボディ部１１、背面カバー１２及び可動部１３を備えている。ボディ部１１は、ＩＣ基板、配線などが収容され、背面において背面カバー１２と係合する。ボディ部１１にはＬＥＤ表示部１４が配置され、焦電センサにおいて人を検知した際やアドレス設定時、電源不足時などにおいて点滅や発光する。
【００２９】
可動部１３は、内部において検知範囲内の人から放射される熱線を検出する２つの焦電センサ１３ａ，１３ｂを収容する。焦電センサ１３ａ，１３ｂは、図２（ｄ）に示すように、その検知範囲が互いに異なる方向となるように、かつ斜めに配置されている。また、可動部１３は、検知範囲を設定変更できるように矢印Ｙで示す方向に可動し、また、焦電センサ１３ａ，１３ｂの検知範囲を設定する際に開ける開閉窓１６を有している。
【００３０】
無線発信器８の背面は、図３（ａ）に示すように、リチウムイオン電池１７が挿入され、ツマミ部である明るさ設定部８９、動作保持時間設定部９０、及びアドレス登録設定部９１が設けられる。また、無線発信器８は、図３（ｂ），（ｃ）に示す一側面に立設されて無線発信器８の保持に用いられる引っ掛け部１８ａを有する平板状の取付金具１８を用いて、壁面や金属面に固定設置できる構造を有している。取付金具１８は、リチウムイオン電池１７の蓋部を兼用する。
【００３１】
次に、無線発信器８の機能構成に関して図４を参照して説明する。無線発信器８は、ＣＰＵ８０、電源部８１、ブザー８２、サブクロック部８３、焦電センサ１３ａ，１３ｂ、ＬＥＤ表示部８５、タイマ部８６、無線送受信部８７、照度測定部８８、明るさ設定部８９、動作保持時間設定部９０、アドレス登録設定部９１、及びアドレス切替部９２を備える。
【００３２】
電源部８１は、特定小電力無線に対応し、専用のリチウムイオン二次電池から内部の電源を供給する。ブザー８２は、確認音や警告音を発音し、サブクロック部８３は、水晶振動子によりＣＰＵ８０の動作周波数を発生させる。
【００３３】
焦電センサ１３ａ，１３ｂは、熱線の変化を検知する焦電素子、この焦電素子からの出力と閾値とを比較して、検知範囲内の人の存否を判定して、人が存在するときには検出信号をＣＰＵ８０に出力する。ＣＰＵ８０は、焦電センサ１３ａ，１３ｂから所定間隔（３秒に１回など）で入力される検出信号の処理を行う。
【００３４】
ＬＥＤ表示部８５は、焦電センサにおいて人を検知した際やアドレス設定時、電源不足時などにおいて点滅や発光する。無線送受信部８７は、専用のＡＳＩＣがアンテナに接続されて構成され、無線受信器７との間で制御情報の送受信を実現する。なお、操作入力部９３によってユーザ入力された設定項目（例えば設定照度値、動作保持時間やアドレスデータ）の値は保持される。
【００３５】
タイマ部８６は、クロックを数えることで一定時間の経過を知るタイマ機能を有し、操作入力部９３で入力された無線発信器８の動作保持時間の検出時にＣＵＰ８０に対して割り込みを発生させる。
【００３６】
照度測定部８８は、周囲の明るさを検出するＣｄＳ、フォトダイオード、フォトトランジスタのような照度センサを有し、照度センサの出力を増幅してＣＰＵ８０に出力する。ＣＰＵ８０では、照度測定部８８の出力と、保持された所定の明るさレベル（設定レベル）との明暗を比較する。
【００３７】
無線発信器８の背面に設けられたツマミ部である操作入力部９３には、図３（ａ）で示した明るさ設定部８９、動作保持時間設定部９０、及びアドレス登録設定部９１が備えられる。明るさ設定部８９は、照明器具９の制御のための照度設定値を変更するための切替スイッチである。動作保持時間設定部９０は、照明器具９の点灯を保持する時間を変更するための切替スイッチであり、３０秒、３分、１０分などから動作保持時間を選択する。アドレス登録設定部９１は、別体の電波式アドレス設定器とデータを送受信して電波信号を受信する。
【００３８】
次に、焦電センサ１３ａ（焦電センサ１３ｂも同様）の機能構成に関して図５（ａ），（ｂ）を参照して説明する。焦電センサ１３ａは、焦電素子２０、光学フィルタ２１、マルチレンズ２２、及びＩＣ基板２３を備える。
【００３９】
焦電素子２０は、ＰＺＴ（チタン酸ジルコン酸鉛）などの強誘電体セラミックスや、ＬｉＴａＯ３（タンタル酸リチウム）などの単結晶、ＰＶＤＦ（ポリフッ化ビニリデン）などの有機材料から構成される。焦電素子２０は、焦電効果を利用して人体などから発せられる僅かな赤外線を検知する。
【００４０】
また、焦電素子２０として、１枚の基板に２個の赤外線受熱素子を形成したデュアル素子や、図５（ｂ）に示すように、１枚の基板に４個の受熱素子２７を形成したクワッド素子が広く実用化されている。このクワッドタイプの焦電素子２０は、検知範囲内の検出ゾーンの密度が高いために小さな動きでも検出することができるという特性を有する。
【００４１】
光学フィルタ２１は、特定の周波数域の赤外線だけを透過させるバンドパス型のレンズであって、焦電センサ１３ａの使用用途が人体検知の場合には、おおよそ４μｍ以上の波長の光を透過し、それよりも波長が短い赤外線をカットするものを用いる。マルチレンズ２２は、ポリエチレンなどの高分子ポリオレフィンで構成された小型のものであり、人体の動作により生じる赤外線を、焦電素子２０の受熱素子２７に集光させると共に、焦電センサ１３ａの検知範囲と検知距離を決めるため使われる。
【００４２】
ＩＣ基板２３は、電流電圧変換部２４、アンプ部２５、及びコンパレータ出力部２６を備え、ワンチップＩＣの安定化回路の役割を有する。電流電圧変換部２４は、赤外線の変化に応じて発生する焦電素子２０の分極による信号を電圧信号に変換する。アンプ部２５は、所定の周波数帯域の信号を選択的に増幅する。コンパレータ出力部２６は、予め閾値を設定し、”Ｈ”、”Ｌ”レベルの検出信号を出力する。無線発信器８は、このウィンドコンパレータ出力部２６から出力される検出信号をＣＰＵ８０において処理し、照明負荷などの負荷制御に用いる。
【００４３】
次に、無線発信器８の検知範囲に関して図６を参照して説明する。なお、本図では、焦電素子モジュールとしての無線発信器８の検出方向を正面としたときの軸線をＸ、点線３０ａは焦電センサ１３ａの水平検知範囲、点線３１ａは焦電センサ１３ｂの水平検知範囲を示している。
【００４４】
無線発信器８に備わる焦電センサ１３ａ，１３ｂの焦電素子は、軸線Ｘに対して斜めになり、かつ互いに異なる方向に配置され、さらに２つの焦電素子の検出方向３０ａ，３１ａは、軸線Ｘに対して軸対称となっている。
【００４５】
人が無線発信器８の正面方向から矢印Ａ１で示す方向から接近してきた場合、人体から放射される赤外線が斜め方向から焦電センサ１３ａ，１３ｂの焦電素子に入射する。従って、焦電センサ１３ａ，１３ｂの受熱素子に分極が発生し、正面方向からの移動に対しても高感度な出力が得られる。
【００４６】
人が矢印Ａ２で示す方向から接近してきた場合、人体から放射される赤外線が斜め方向から焦電センサ１３ｂの焦電素子に入射する。従って、焦電センサ１３ｂの受熱素子に分極が発生し、高感度な出力が得られる。同様に、人が矢印Ａ３で示す方向から接近してきた場合、人体から放射される赤外線が斜め方向から焦電センサ１３ａの焦電素子に入射するために焦電センサ１３ａの受熱素子に分極が発生し、高感度な出力が得られる。
【００４７】
次に、無線発信器８の立体的な検知範囲に関して図７を参照して説明する。例えば、無線発信器８は、人の手の動きが検知できるように床から７０ｃｍの高さを検知範囲として設定され、水平方向の検出範囲を１８０度以上とした広角検知と高感度検知を可能とする。また、無線発信器８は、垂直方向の検出範囲を８２度以上、有効検知高さ約２．５ｍ、検出範囲３ｍ×８ｍとし、広角検知範囲と侵入形センサとしても利用できる。
【００４８】
以上の説明のように、本実施の形態１に係る無線発信器８は、複数の焦電センサ１３ａ，１３ｂを備える。各々の焦電センサ１３ａ，１３ｂに備わる焦電素子２０は、焦電素子モジュールとしての無線発信器８の検出方向を正面の軸線Ｘに対して斜めになり、かつ互いに異なる方向に配置されている。また、２つの焦電素子２０の検出方向は、軸線Ｘに対して軸対称となる。
【００４９】
このため、無線発信器８の正面方向から人が接近してくるとき、人体から放射される赤外線が、斜め方向から焦電センサ１３ａ，１３ｂの焦電素子２０に入射する。従って、無線発信器８は、受熱素子２７に分極が発生し、無線発信器８の正面方向から進入する人を高感度で検知できる。
【００５０】
（実施の形態２）
以下、本発明に係る照明制御システムの実施の形態２に関して図８を参照して説明する。上記実施の形態１に係る照明制御システム１と同様の構成には同符号を付し、その詳細な説明は省略する。
【００５１】
図８に示すように、本照明制御システム１は、複数の照明負荷９ａ，９ｂを備え、複数の焦電素子の検出方向は、軸線Ｘに対して軸対称となり、照明負荷９ａ，９ｂと焦電センサ１３ａ，１３ｂの各々とは対応関係を有している。
【００５２】
そして、人が矢印Ｂ１の方向から移動するとき、焦電センサ１３ａがまず検知し、その後、矢印Ｂ２に移動すると焦電センサ１３ｂが検知する。この場合、本照明制御システム１では、最初に、無線発信器８からの照明器具９ａのＯＮ制御要求を無線受信器７が受信し、無線受信器７は、ＯＮ通知を伝送ユニット２に対して行うことでリレー制御用端末器３が照明器具９ａをＯＮ制御する。次に、人が矢印Ｂ２の方向に移動すると、無線発信器８からの照明器具９ａのＯＦＦ制御要求と照明器具９ｂのＯＮ制御要求とを無線受信器７が受信し、無線受信器７は、照明器具９ａのＯＦＦ通知と照明器具９ｂのＯＮ通知とを伝送ユニット２に送信する。そして、伝送ユニット２から制御要求情報を受けたリレー制御用端末器３は、照明器具９ａをＯＦＦ制御、照明器具９ｂをＯＮ制御する。
【００５３】
また、上記同様に、人が矢印Ｃ１の方向から移動すると、焦電センサ１３ｂがまず検知し、その後、矢印Ｃ２に移動すると焦電センサ１３ａが検知する。この場合、最初に、無線発信器８から照明器具９ｂのＯＮ制御要求を無線受信器７が受信し、無線受信器７は、ＯＮ通知を伝送ユニット２に対して行い、リレー制御用端末器３は、照明器具９ｂをＯＮ制御する。次に、人が矢印Ｃ２の方向に移動すると、焦電センサ１３ａ，１３ｂから検知信号を受けた無線発信器８は、照明器具９ｂのＯＦＦ制御要求と照明器具９ａのＯＮ制御要求とを無線受信器７に送信する。無線受信器７は、照明器具９ｂのＯＦＦ通知と照明器具９ａのＯＮ通知とを伝送ユニット２に送信する。そして、伝送ユニット２から制御要求情報を受けたリレー制御用端末器３は、照明器具９ｂをＯＦＦ制御、照明器具９ａをＯＮ制御する。
【００５４】
以上、本実施の形態２に係る照明制御システム１では、無線発信器８で動作制御される照明器具９ａ，９ｂを焦電センサ１３ａ，１３ｂにより変更できる。このため、上記実施の形態１の効果に加えて、焦電センサ１３ａ，１３ｂで検出される人の移動方向に応じて制御する照明器具９ａ，９ｂを変更できる。
【００５５】
なお、本発明は、上記各実施の形態の構成に限られず、発明の趣旨を変更しない範囲で種々の変形が可能である。例えば、無線発信器に備わる焦電センサは２つに限定されるものではなく、３つ以上の焦電センサを用いることで、人の直線的な動きのみでなく曲線的な動きをも検知して、該検知情報に基づいて、より正確な照明器具の動作制御を実現できる。
【符号の説明】
【００５６】
１  照明制御システム
２  伝送ユニット
３  リレー制御用端末器
４  リモコンリレー
５  リモコントランス
６  リモコンスイッチ
７  無線受信器
８  無線発信器（焦電素子モジュール）
８７  無線送受信部（通信部）
１１  ボディ
１２  背面カバー
１３  可動部
１３ａ，１３ｂ  焦電センサ
２４  電流電圧変換部
２５  アンプ部
２６  コンパレータ出力部
９，９ａ，９ｂ  照明器具
Ｘ  軸線
【図１】
2013231667.tif 000003
【図４】
2013231667.tif 000004
【図５】
2013231667.tif 000005
【図６】
2013231667.tif 000006
【図７】
2013231667.tif 000007
【図８】
2013231667.tif 000008
【図９】
2013231667.tif 000009
【図２】
2013231667.tif 000010
【図３】
2013231667.tif 000011